(57)【特許請求の範囲】
【請求項１】
隅桁のフォーク差し込み口側の側壁と、中間桁のフォーク差し込み口側の側壁と、上部デッキボードの周縁部と、該周縁部の下方に配置された間口水平リブと、前記周縁部の奥側端と前記間口水平リブの奥側端とを連結する垂直奥壁と、前記周縁部と前記間口水平リブとの間に形成された間口垂直リブとにより、外側に開口を有する複数の凹部が形成されているとともに、前記複数の凹部のうち、フォーク差し込み口の略中央部に位置する凹部は、フォークの先端部が挿入可能に構成されていることを特徴とする合成樹脂製パレット。
【請求項２】
フォーク挿入凹部の背後に位置する垂直奥壁と該垂直奥壁に隣接する桁間連結リブとの間に、補強リブを配設したことを特徴とする請求項１に記載の合成樹脂製パレット。
【請求項３】
フォーク差し込み口の下方に位置する下部デッキボードの隅部に配設された段部に、フォーク当接部を形成したことを特徴とする請求項１又は請求項２に記載の合成樹脂製パレット。
【発明の詳細な説明】
【０００１】
【発明の属する技術分野】
本発明は、物品の運搬、保管等に使用される合成樹脂製パレットに関するものであり、特に、貨車やトラック等の車両の荷台への積み込みに適した合成樹脂製パレットに関するものである。
【０００２】
【従来の技術】
従来、物品が載置された合成樹脂製パレットのフォーク差し込み口に、フォークリフトのフォークを差し込み、合成樹脂製パレットを持ち上げて、貨車やトラック等の車両の荷台に載置した後、合成樹脂製パレットのフォーク差し込み口からフォークを抜き取り、次いで、合成樹脂製パレットの側面に形成された凹部にフォークの先端を押し込むとともに、合成樹脂製パレットをフォークで押して移動させて、荷台の所望位置に、合成樹脂製パレットを載置するようにした合成樹脂製パレットの移載作業に適した合成樹脂製パレットが知られている（例えば、実用新案登録第２５２０３４７号公報等）。
【０００３】
【発明が解決しようとする課題】
上述した従来の合成樹脂製パレットにおいては、凹部が形成された合成樹脂製パレットの側面の強度が十分でないために、合成樹脂製パレットの側壁等に亀裂が走ったり、破損する等の問題があった。
【０００４】
また、合成樹脂製パレットの側面に形成された凹部の深さを、十分深くできないために、フォークの先端部が、凹部から外れやすく、外れたフォークの先端部により、デッキに載置されている物品が損傷するという問題があった。
【０００５】
更に、合成樹脂製パレットの側面に形成された凹部に、フォークの先端部を差し込んだ後、フォークを、少し上昇させて、合成樹脂製パレットを、若干、持ち上げた状態で、フォークにより、合成樹脂製パレットを押して、合成樹脂製パレットを、所望の位置に移動させることが行われるが、この際にも、凹部の深さを、十分深くできないために、フォークの先端部が、凹部から外れて、持ち上げ垂れた側の合成樹脂製パレットが落下し、落下衝撃により、合成樹脂製パレットが損傷するという問題があった。
【０００６】
更にまた、半製品である上部スキッドと下部スキッドとを、桁の先端同士を溶着することにより形成された合成樹脂製パレットの場合に、溶着部に、フォークの先端部が当接する凹部を設けると、フォークが当接した際の衝撃力により、溶着部が剥離するという問題があった。
【０００７】
本発明の目的は、上述した従来の合成樹脂製パレットが有する課題を解決することにある。
【０００８】
【課題を解決するための手段】
本発明は、上述した目的を達成するために、第１には、隅桁のフォーク差し込み口側の側壁と、中間桁のフォーク差し込み口側の側壁と、上部デッキボードの周縁部と、該周縁部の下方に配置された間口水平リブと、前記周縁部の奥側端と前記間口水平リブの奥側端とを連結する垂直奥壁と、前記周縁部と前記間口水平リブとの間に形成された間口垂直リブとにより、外側に開口を有する複数の凹部が形成されているとともに、前記複数の凹部のうち、フォーク差し込み口の略中央部に位置する凹部を、フォークの先端部が挿入可能に構成したものであり、第２には、フォーク挿入凹部の背後に位置する垂直奥壁と該垂直奥壁に隣接する桁間連結リブとの間に、補強リブを配設したものであり、第３には、フォーク差し込み口の下方に位置する下部デッキボードの隅部に配設された段部に、フォーク当接部を形成したものである。
【０００９】
【実施例】
先ず最初に、図１を用いて、一例としての本発明の合成樹脂製パレット（以下、単に、パレットともいう。）の全体構成について説明する。
【００１０】
パレットは、上部デッキボード１と下部デッキボード２とを有し、上部デッキボード１と下部デッキボード２とは、その角部が、各辺の中間部及び中央部が、隅桁３、中間桁４及び中央桁５により連結されている。そして、隅桁３と中間桁４との間には、フォークリフトのフォークが挿入可能な、フォーク差し込み口６が形成されている。
【００１１】
７は、上部デッキボード１の板状の周縁部１ａの下方に配設された、隅桁３と中間桁４とを連結するとともに、フォーク差し込み口６の上部辺を形成する間口水平リブである。１ｂは、隅桁３と中間桁４とを連結する複数の桁間連結リブであり、１ｃは、桁間連結リブ１ｂに直交する複数の桁間直交リブであり、桁間連結リブ１ｂ及び桁間直交リブ１ｃも、共に、上部デッキボード１の一部を形成するものである。８は、周縁部１ａの奥側端と間口水平リブ７の奥側端とを連結する垂直奥壁であり、９は、上部デッキボード１の板状の周縁部１ａと間口水平リブ７間に形成され、且つ、周縁部１ａに直交する方向に延在するとともに、垂直奥壁８に連結された間口垂直リブである。
【００１２】
隅桁３のフォーク差し込み口６側の側壁３ａと中間桁４のフォーク差し込み口６側の側壁４ａと上部デッキボード１の板状の周縁部１ａと間口水平リブ７と垂直奥壁８と間口垂直リブ９とにより、外側に開口を有する複数の凹部１０が形成されており、フォーク差し込み口６の上方で、略中央部に形成された凹部１０は、フォークＦの先端部ｆ１が挿入可能に構成されている。なお、フォークＦの先端部ｆ１が挿入可能な凹部１０を、以下、フォーク挿入凹部と称し、符号１０ａを付した。このように、フォーク差し込み口６の上方に位置する上部デッキボード１に、フォーク挿入凹部１０ａを形成した場合には、パレットの強度への影響が大きい隅桁等の桁部に凹部を形成した場合に比べ、パレットの強度を低下することなく、フォーク挿入凹部１０ａの深さを深くすることができ、従って、フォークの先端部が、フォーク挿入凹部１０ａから外れるようなことが、確実に防止できる
【００１３】
フォーク挿入凹部１０ａの背後に位置する垂直奥壁８と、垂直奥壁８に隣接する桁間連結リブ１ｂとの間には、桁間直交リブ１ｃに加え、桁間直交リブ１ｃ間で、且つ、桁間直交リブ１ｃに平行な補強リブ１１が、適当数、配設されている。このような補強リブ１１を配設することにより、垂直奥壁８を補強することができ、従って、フォークＦの先端部ｆ１が、フォーク挿入凹部１０ａに挿入され、垂直奥壁８に当接した際に、垂直奥壁８が損傷するようなことを防止することができる。なお、補強リブ１１に代えて、或いは、補強リブ１１を形成することに加えて、垂直奥壁８の肉厚を、他の桁間連結リブ１ｂ等の肉厚に比べて、厚く形成することにより、垂直奥壁８の強度を高めることができる。
【００１４】
１２は、フォーク挿入凹部１０ａを形成する間口垂直リブ９と垂直奥壁８とにより形成される隅部に配設された補強水平三角片である。このような補強水平三角片１２を配設することにより、フォーク挿入凹部１０ａに挿入されたフォークＦの先端部ｆ１が、フォーク挿入凹部１０ａを形成する間口垂直リブ９に当接しても、間口垂直リブ９が損傷するようなことが防止できる。
【００１５】
次に、図５〜図７を用いて、本発明の合成樹脂製パレットの他の実施例について説明する。
【００１６】
この実施例は、フォーク差し込み口６の下方に位置する下部デッキボード２の隅部に、即ち、下部デッキボード２と隅桁１ａとにより形成される隅部に、フォーク差し込み口６に沿って、上方に膨出する段部１３を形成するとともに、段部１３の垂直外壁１３ａに、フォークＦの先端部ｆ１が挿入可能な下部フォーク挿入凹部１４を形成したものである。
【００１７】
上述した上部デッキボード１に配設されたフォーク挿入凹部１０ａへのフォークＦの先端部ｆ１の挿入に加え、下部デッキボード２と隅桁１ａとにより形成される隅部に段部１３を配設し、段部１３の垂直外壁１３ａに、フォークＦの先端部ｆ１が挿入可能な下部フォーク挿入凹部１４を形成したことにより、作業者のパレット移動作業の作業性が向上する。また、上部デッキボード１の上面、一杯に物品が載置されている場合、或いは、上部デッキボード１の上面を越えて、物品が載置されている場合には、上部デッキボード１に配設されたフォーク挿入凹部１０ａへのフォークＦの先端部ｆ１の挿入が困難が場合があるが、このような場合には、下部フォーク挿入凹部１４を利用することにより、パレット移動作業の作業性が向上する。なお、上述したフォーク挿入凹部１０ａの補強と同じように、下部フォーク挿入凹部１４の肉厚を厚くしたり、下部フォーク挿入凹部１４の裏面にリブを設けて、この部分を補強することもできる。
【００１８】
上述した実施例においては、段部１３が、隅桁３側の隅部に形成されているが、段部１３を、中間桁４側の隅部に形成することもでき、更には、両方の隅部に形成することもできる。なお、段部１３の垂直外壁１３ａの面積を大きくすることができる場合には、凹部１４を形成することなく、単なる平面状のフォーク当接部とすることもできる。
【００１９】
【発明の効果】
本発明は、以上説明した構成を有しているので、以下に記載する効果を奏するものである。
【００２０】
フォーク差し込み口の上方に位置する上部デッキボードに、フォーク挿入凹部を形成したことにより、パレットの強度を低下することなく、フォーク挿入凹部の深さを深くすることができ、従って、フォークの先端部が、フォーク挿入凹部から外れるようなことが、確実に防止できる。
【００２１】
フォーク挿入凹部の背後に位置する垂直奥壁と該垂直奥壁に隣接する桁間連結リブとの間に、補強リブを配設したことにより、垂直奥壁を補強することができ、従って、フォークの先端部が、フォーク挿入凹部に挿入され、垂直奥壁に当接した際に、垂直奥壁が損傷するようなことを防止することができる。
【００２２】
フォーク差し込み口の下方に位置する下部デッキボードの隅部に配設された段部に、フォーク当接部を形成したことにより、作業者のパレット移動作業の作業性が向上する。
【図面の簡単な説明】
【図１】図１は本発明の合成樹脂製パレットの斜視図である。
【図２】図２は本発明の合成樹脂製パレットの部分斜視図である。
【図３】図３は本発明の合成樹脂製パレットの部分正面図である。
【図４】図４は本発明の合成樹脂製パレットのフォーク挿入口に沿った部分垂直断面図である。
【図５】図５は本発明の他の実施例の合成樹脂製パレットの斜視図である。
【図６】図６は図５に示されている合成樹脂製パレットの部分正面図である。
【図７】図７は図５に示されている合成樹脂製パレットのフォーク挿入口に沿った部分垂直断面図である。
【符号の説明】
１・・・・・・・・・・・・・・上部デッキボード
２・・・・・・・・・・・・・・下部デッキボード
３・・・・・・・・・・・・・・隅桁
４・・・・・・・・・・・・・・中間桁
６・・・・・・・・・・・・・・フォーク挿入口
１０ａ・・・・・・・・・・・・フォーク挿入凹部
１３・・・・・・・・・・・・・段部
１４・・・・・・・・・・・・・下部フォーク挿入凹部
【図１】
0004326117.tif 000002
【図２】
0004326117.tif 000003
【図３】
0004326117.tif 000004
【図４】
0004326117.tif 000005
【図５】
0004326117.tif 000006
【図６】
0004326117.tif 000007
【図７】
0004326117.tif 000008